(57)【要約】【課題】暗闇において、容易に目視することができるポータブルトイレを提供する。【解決手段】  開口部が形成された天板２１および該天板２１の周縁に垂設された周壁２２からなる座部２と、座部２の天板２１に回動自在に軸支された便座３と、便座３を覆う位置と開放する位置との間に回動自在に設けられたカバー４と、前記座部２にそれぞれ設けられた背もたれ５および肘掛け６と、からポータブルトイレ１が構成される。そして、ポータブルトイレ１を構成する肘掛け６の肘掛け本体６２に蓄光材８が設けられている。このため、暗闇において、蓄光材８が発光し、ポータブルトイレを容易に視認することができる。【選択図】図１
2006109955.tif 000002
【特許請求の範囲】
【請求項１】
開口部が形成された天板および該天板の周縁に垂設された周壁からなる座部と、座部の天板に回動自在に軸支されて、天板の開口部周縁に載置可能な便座と、便座を覆う位置と開放する位置との間に回動自在に設けられたカバーと、を備えたポータブルトイレにおいて、前記座部、便座もしくはカバーの少なくとも一つに、１個以上の蓄光材が設けられていることを特徴とするポータブルトイレ。
【請求項２】
開口部が形成された天板および該天板の周縁に垂設された周壁からなる座部と、座部の天板に回動自在に軸支されて、天板の開口部周縁に載置可能な便座と、便座を覆う位置と開放する位置との間に回動自在に設けられたカバーと、前記座部にそれぞれ設けられた背もたれおよび肘掛けと、を備えたポータブルトイレにおいて、前記座部、便座、カバー、背もたれもしくは肘掛けの少なくとも一つに、１個以上の蓄光材が設けられていることを特徴とするポータブルトイレ。
【請求項３】
開口部が形成された天板および該天板の周縁に垂設された周壁からなる座部と、座部の天板に回動自在に軸支されて、天板の開口部周縁に載置可能な便座と、便座を覆う位置と開放する位置との間に移動自在に設けられたシートと、前記座部に設けられた背もたれと、座部に直接もしくは座部と背もたれとの間に設けられた肘掛けと、座部に設けられた支持脚と、を備えたポータブルトイレにおいて、前記座部、便座、カバー、背もたれ、肘掛けもしく支持脚の少なくとも一つに、１個以上の蓄光材が設けられていることを特徴とするポータブルトイレ。
【請求項４】
前記蓄光材の裏面側に位置して反射層を設けたことを特徴とする請求項１，２または３記載のポータブルトイレ。
【発明の詳細な説明】
【技術分野】
【０００１】
本発明は、ポータブルトイレに関するものである。
【背景技術】
【０００２】
一般に、トイレ室での用便が困難な場合には、ポータブルトイレが使用される。このようなポータブルトイレは、ほぼ中央に開口部が形成された天板および天板の周縁に垂設された周壁からなる座部と、座部に回動自在に軸支された便座と、座部に回動自在に設けられて、便座を天板の開口部とともに覆うカバーと、から構成され、持ち運びできるようになっている。そして、天板の開口部を通して汚物ポットを内部に挿入して、天板に支持するとともに、便座を介して座部に座った状態で用を足すことができる。
【０００３】
このようなポータブルトイレにおいても、腰掛け動作や立ち上がり動作時の負担を軽減したり、あるいは、背中を支持することが好ましいことから、背もたれや肘掛けが設けられたポータブルトイレも提案されている（例えば、特許文献１参照）。
【０００４】
また、用便時以外には、椅子としても使用可能な家具調ポータブルトイレも提供されている（例えば、特許文献２参照）。
【特許文献１】特開平１１−２６７０６８号公報
【特許文献２】実用新案登録第２５４７４７９号公報
【発明の開示】
【発明が解決しようとする課題】
【０００５】
ところで、夜間において、地震などの災害が発生し、停電に見舞われた場合、暗闇の中で避難しなければならない。この場合、前述したポータブルトイレは、通常、寝室などに配置されていることから、避難する際、通路の障害物となって邪魔になる可能性がある他、ぶつかった場合には、けがにつながることも予想される。
【０００６】
一方、夜間において、被介護者がポータブルトイレにて用を足すため、灯を点灯した場合、家人や介護者を起こすことになり、被介護者が気に病むことがある。また、被介護者も、灯によって目が覚めてしまい、用便後、眠れなくなるケースも多い。
【０００７】
本発明は、このような問題点に鑑みてなされたもので、暗闇において、容易に目視することができるポータブルトイレを提供するものである。
【課題を解決するための手段】
【０００８】
本発明は、開口部が形成された天板および該天板の周縁に垂設された周壁からなる座部と、座部の天板に回動自在に軸支されて、天板の開口部周縁に載置可能な便座と、便座を覆う位置と開放する位置との間に回動自在に設けられたカバーと、を備えたポータブルトイレにおいて、前記座部、便座もしくはカバーの少なくとも一つに、１個以上の蓄光材が設けられていることを特徴とするものである。
【０００９】
本発明によれば、ポータブルトイレを構成する座部、便座もしくはカバーに設けられた蓄光材に昼光あるいは蛍光灯などの人工光のエネルギーが吸収蓄積される一方、夜間において、蓄光材に蓄積された光エネルギーが放光される。このため、夜間において、ポータブルトイレを使用する場合、使用者は、灯を点灯することなく発光する蓄光材によってポータブルトイレを容易に目視することができる。したがって、灯を点灯することで家人などを起こすことがなく、また、使用者自身も灯によって目を覚ますこともない。また、仮
に地震などの災害が夜間に発生し、停電に見舞われたとしても、蓄光材が発光していることから、ポータブルトイレを確実に視認することができ、避難に際してポータブルトイレを避けて、あるいは、ポータブルトイレを移動させて避難することができ、ポータブルトイレとぶつかることを防止することができる。
【００１０】
本発明は、開口部が形成された天板および該天板の周縁に垂設された周壁からなる座部と、座部の天板に回動自在に軸支されて、天板の開口部周縁に載置可能な便座と、便座を覆う位置と開放する位置との間に回動自在に設けられたカバーと、前記座部にそれぞれ設けられた背もたれおよび肘掛けと、を備えたポータブルトイレにおいて、前記座部、便座、カバー、背もたれもしくは肘掛けの少なくとも一つに、１個以上の蓄光材が設けられていることを特徴とするものである。
【００１１】
本発明によれば、ポータブルトイレを構成する座部、便座、カバー、背もたれもしくは肘掛けに設けられた蓄光材に昼光あるいは蛍光灯などの人工光のエネルギーが吸収蓄積される一方、夜間において、蓄光材に蓄積された光エネルギーが放光される。このため、夜間において、ポータブルトイレを使用する場合、使用者は、灯を点灯することなく発光する蓄光材によってポータブルトイレを容易に目視することができる。したがって、灯を点灯することで家人などを起こすことがなく、また、使用者自身も灯によって目を覚ますこともない。また、仮に地震などの災害が夜間に発生し、停電に見舞われたとしても、蓄光材が発光していることから、ポータブルトイレを確実に視認することができ、避難に際してポータブルトイレを避けて、あるいは、ポータブルトイレを移動させて避難することができ、ポータブルトイレとぶつかることを防止することができる。
【００１２】
本発明は、開口部が形成された天板および該天板の周縁に垂設された周壁からなる座部と、座部の天板に回動自在に軸支されて、天板の開口部周縁に載置可能な便座と、便座を覆う位置と開放する位置との間に移動自在に設けられたシートと、前記座部に設けられた背もたれと、座部に直接もしくは座部と背もたれとの間に設けられた肘掛けと、座部に設けられた支持脚と、を備えたポータブルトイレにおいて、前記座部、便座、カバー、背もたれ、肘掛けもしく支持脚の少なくとも一つに、１個以上の蓄光材が設けられていることを特徴とするものである。
【００１３】
本発明によれば、ポータブルトイレを構成する座部、便座、シート、背もたれ、肘掛けもしくは支持脚に設けられた蓄光材に昼光あるいは蛍光灯などの人工光のエネルギーが吸収蓄積される一方、夜間において、蓄光材に蓄積された光エネルギーが放光される。このため、夜間において、ポータブルトイレを使用する場合、使用者は、灯を点灯することなく発光する蓄光材によってポータブルトイレを容易に目視することができる。したがって、灯を点灯することで家人などを起こすことがなく、また、使用者自身も灯によって目を覚ますこともない。また、仮に地震などの災害が夜間に発生し、停電に見舞われたとしても、蓄光材が発光していることから、ポータブルトイレを確実に視認することができ、避難に際してポータブルトイレを避けて、あるいは、ポータブルトイレを移動させて避難することができ、ポータブルトイレとぶつかることを防止することができる。
【００１４】
本発明において、前記蓄光材の裏面側に位置して反射層を設けると、蓄光材の発光は、反射層に反射することから、発光エネルギーが内部で散乱して吸収されることがなく、初期輝度および残光輝度とも十分に大きく、また、残光時間も確保することができるため、好ましい。この場合、反射層は、蓄光材の内面を白色に塗装して反射層に形成しても、蓄光材を設ける側の内面を白色に塗装して反射層に形成してもよい。また、白色に塗装した反射板を蓄光材の内面側に配置してもよい。
【００１５】
本発明の蓄光材の蓄光顔料としては、ストロンチウムアルミネートやカルシウムアルミ
ネート、あるいは、酸化アルミニウム、酸化ストロンチウム、テルビウムなどを好適に用いることができる。
【発明の効果】
【００１６】
以上のように本発明によれば、暗闇において、容易に目視することができ、良好な視認性を確保することができる。
【発明を実施するための最良の形態】
【００１７】
以下、本発明の実施の形態を図面を参照して説明する。
【００１８】
図１には、本発明のポータブルトイレの一実施形態が示されている。
【００１９】
このポータブルトイレ１は、ほぼ中央に開口部（図示せず）が形成された天板２１および天板２１の周縁に垂設された周壁２２からなる合成樹脂製の座部２と、天板２１に開閉自在に軸支されて、天板２１の開口部周縁に載置可能な便座３と、天板２１に開閉自在に軸支された二つ折り可能なカバー４と、座部２の天板２１にそれぞれ取り付けられた樹脂製の背もたれ５および肘掛け６と、から構成され、持ち運びできるようになっている。そして、天板２１の開口部は、通常、カバー４によって便座３とともに覆われている。また、便座３を跳ね上げた状態で汚物ポット７を、天板２１の開口部を通して内部に挿入して、天板２１の開口部周縁に支持することができる。
【００２０】
なお、座部２の周壁２２の四隅下端には、ネジを介して昇降自在な脚部２３が設けられている他、その前壁２２１は、使用者の下肢および踵を収容するけ込みとなるように、下部内方に向かう傾斜面に形成されている。
【００２１】
一方、肘掛け６は、座部２の天板２１に着脱自在に固定された一対の支柱６１と、一対の支柱６１間に一体に架設された肘掛け本体６２からなり、肘掛け本体６２には、その上面部の前後に位置して、蓄光顔料が練り込まれた樹脂材料からなる蓄光材８が設けられている。具体的には、図２（ａ）に示すように、左右の肘掛け本体６２には、その上面部の前後に取付穴６２ａが形成される一方、蓄光材８は、肘掛け本体６２の取付穴６２ａの内径よりも大径の頭部８ａと、頭部８ａの裏面に一体に設けられ、肘掛け本体６２の取付穴６２ａの内径に相当する外径および肘掛け本体６２の上面部の肉厚に相当する深さを有する中空状の装着部８ｂと、装着部８ｂの下端縁外周に一体に設けられ、肘掛け本体６２の取付穴６２ａの内径よりも若干大径のガイド部８ｃと、から形成され、ガイド部８ｃは、下端縁から上方に向かって徐々に外径が大きくなるテーパー面に形成されている。
【００２２】
したがって、肘掛け本体６２の取付穴６２ａに蓄光材８のガイド部８ｃをあてがって、頭部８ａを上方から下方に向けて押し込むことにより、ガイド部８ｃが弾性変形して取付穴６２ａを通過し、取付穴６２ａに装着部８ｂが嵌合する結果、蓄光材８は、頭部８ａとガイド部８ｃとの間で肘掛け本体６２の上面部を挾持した状態で取り付けられる。
【００２３】
ここで、蓄光材８の蓄光顔料としては、残光輝度、残光時間などに優れたストロンチウムアルミネートやカルシウムアルミネートなどを好適に用いることができるが、その他、酸化アルミニウム、酸化ストロンチウム、テルビウムなどを用いてもよい。また、樹脂材料としては、ＰＶＣ、ＡＢＳ、ポリスチレン、ポリカーボネート、ポリエステル、ＰＥＮなど、透明性の高い樹脂が、光エネルギーの吸収効率が高まるとともに、放光時の視認性が向上するため、好ましい。
【００２４】
次に、このように構成されたポータブルトイレ１の使用要領について説明する。
【００２５】
まず、通常、カバー４は、天板２１の上面に載置されて、その開口部とともに便座３を覆っている。
【００２６】
トイレを利用する場合、使用者は、カバー４の手掛かり部４ａを把握して上方に持ち上げると、カバー４は、天板２１に対して後方に向けて二つ折りされて回動し、便座３が露出する開放位置に移動させることができる。そして、後方に回動されたカバー４は、天板２１に当接して、それ以上の倒れが防止される。この際、二つ折りされたカバー４は、背もたれ５の、門状の框部５１と、框部５１に固定されたクッション５２とによって包囲された空間内に収容されることから、便座３に座った使用者と干渉することがない。
【００２７】
この後、使用者は、座部２の天板２１の開口部周縁に載置された便座３に座って用を足すことができる。用便が終了すれば、使用者は、肘掛け６を利用して立ち上がることができる。この際、踵および下肢を傾斜された前壁２２１に沿って収容することにより、容易に立ち上がることができる。次いで、汚物が収容された汚物ポット７を引き上げた後、カバー４の手掛かり部４ａを把握して前方に引き出せば、便座３を覆う閉鎖位置にカバー４を移動させることができる。
【００２８】
なお、汚物ポット７に収容された汚物は、トイレ室の便器に別途廃棄される。そして、汚物ポット７は洗浄され、再びポータブルトイレ１における天板２１の開口部周縁に支持され、次に備えるものである。
【００２９】
一方、蓄光材８には、昼光（太陽光）あるいは蛍光灯などの人工光のエネルギーが吸収蓄積される。そして、蓄光材８に蓄積された光エネルギーは、暗闇において、放光される。したがって、夜間において、ポータブルトイレ１を使用する使用者は、発光する蓄光材８によってポータブルトイレ１の肘掛け６の長さを容易に目視することができ、使用に際して良好な視認性を確保することができる。
【００３０】
このため、灯を点灯することで家人などを起こすこともなく、また、使用者自身も灯によって目を覚ますこともないことから、気兼ねすることなく用を足すことができる。また、仮に地震などの災害が夜間に発生し、停電に見舞われたとしても、前述したように、ポータブルトイレ１の肘掛け６に設けた蓄光材８が発光していることから、ポータブルトイレ１を視認することができ、避難に際してポータブルトイレ１を避けて、あるいは、ポータブルトイレ１を移動させて避難することができ、ポータブルトイレ１との衝突を回避することができる。
【００３１】
なお、蓄光材８の内面に白色塗料を塗布して、あるいは、白色のシートを設けて反射層８ｄ（図２（ｂ）参照）を形成すれば、蓄光材８の発光は、反射層８ｄに反射することから、発光エネルギーが内部で散乱して吸収されることがなく、初期輝度および残光輝度とも十分に大きく、また、残光時間も確保することができるため、好ましい。
【００３２】
また、前述した実施形態においては、左右の肘掛け６の肘掛け本体６２にそれぞれ２個ずつ蓄光材８を設けた場合を説明したが、暗闇において、発光する蓄光材によってポータブルトイレ１を視認できればよいことから、ポータブルトイレ１を構成するいずれかの部材に適数個の蓄光材を設ければよく、蓄光材の設置位置を肘掛け６に限定するものではない。ただし、被介護者などの使用者の視線の延長線上に蓄光材が位置するように、あるいは、移動に際して、障害物の位置を把握できるように、設置位置を選定する必要がある。
【００３３】
例えば、座部２の周壁２２のうち、下肢の収容位置を確認するため、前壁２２１における垂れ壁部の下端縁に幅方向に沿って蓄光材８１を設けたり（図３参照）、前壁２２１の左右下端部などに蓄光材８２（図１参照）を設け、周壁２２とのつまずきを防止したり、
詳細には図示しないが、天板２１に便座３の外周縁に沿って間欠的もしくは連続的に凹部を形成し、該凹部に蓄光材を嵌合させて、座る位置を確認するようにしてもよい。この場合、接着剤や両面テープを併用することもできる。
【００３４】
また、図４に示すように、便座３の上面周囲に無端状の凹部３ａを形成する一方、該凹部３ａに対応して無端状に形成されるとともに、外周面および内周面に抜け出し方向に抵抗となる複数のくさび状抵抗部が形成された蓄光材８３を、前述した凹部３ａに嵌め込んだり、図１に示すように、手掛かり部４ａを把握するため、カバー４の手掛かり部４ａに蓄光材８４を設けたり、手すりとしても使用できるように、背もたれ５のクッション５２に蓄光材８５を設けるようにしてもよい。
【００３５】
さらには、図５に詳細に示すように、脚部２３の一部に切欠部２３ａを形成する一方、該切欠部２３ａに装着可能な部品を蓄光材８６で形成し、脚部２３の切欠部２３ａに蓄光材８６からなる部品を装着するようにしてもよい。この際、部品としての蓄光材８６には、係止爪８６ａが設けられる一方、脚部２３の切欠部２３ａには、蓄光材８６の係止爪８６ａが係止可能な係止部（図示せず）が形成され、脚部２３の切欠部２３ａに蓄光材８６を嵌め込んだ際、蓄光材８６の係止爪８６ａが脚部２３の切欠部２３ａの係止部に係止されるものである。
【００３６】
ところで、図６には、本発明のポータブルトイレ１の他の実施形態が示されている。
【００３７】
このポータブルトイレ１は、ほぼ中央に開口部が形成された天板２１および天板２１の周縁に垂設された周壁２２からなる座部２と、天板２１の後端に回動自在に軸支された便座３と、便座３を覆って座板２１に載置された二つ折り可能なシート９と、座部２の周壁２２にそれぞれ設けられた背もたれ５と、座部２および背もたれ５にわたって設けられた肘掛け６と、からなり、木材によって家具調に形成されている。そして、天板２１の開口部は、通常、シート９によって便座３とともに覆われており、その際には、肘掛け椅子として使用することができる。また、便座３を跳ね上げた状態で、汚物ポット７を天板２１の開口部を通して内部に挿入して、天板２１の開口部周縁に支持することができる。
【００３８】
なお、周壁２２を構成する左右の側壁２２２には、支持脚２４が取付高さを調整自在に固定されている他、その前壁２２１は、使用者の下肢および踵を収容するけ込みとなるように、下部内方に向かう傾斜面に形成されている。
【００３９】
一方、肘掛け６の、支柱６１および背もたれ５の框部５１間に架設された肘掛け本体６２には、その上面の前後に位置して、蓄光顔料が練り込まれた樹脂材料からなる蓄光材８７が設けられている。具体的には、図７に示すように、左右の肘掛け本体６２には、その上面の前後に断面円形の嵌合凹部６２ｂが形成される一方、蓄光材８７は、肘掛け本体６２の嵌合凹部６２ｂに対応する外径の略円板状に形成されている。
【００４０】
したがって、肘掛け本体６２の嵌合凹部６２ｂに接着剤を塗布した後、蓄光材８７を押し込むことにより、蓄光材８７を肘掛け本体６２の嵌合凹部６２ｂに取り付けることができる。
【００４１】
次に、このように構成されたポータブルトイレ１の使用要領について説明する。
【００４２】
まず、通常、シート９は、天板２１に載置されて、その開口部とともに便座３を覆っており、肘掛け椅子として使用可能となっている。
【００４３】
トイレとして使用する場合、使用者は、シート９の把手（図示せず）を把握して上方に
持ち上げると、シート９は、天板２１に対して後方に向けて二つ折りされて回動し、便座３が露出する開放位置に移動させることができる。そして、後方に移動されたシート９は、図示しないストッパに当接して、それ以上の倒れが防止される。この際、二つ折りされたシート９は、背もたれ５の一対の框部５１と、左右の框部５１にわたって架設された笠木５３とによって包囲された空間内に収容されることから、便座３に座った使用者と干渉することがない。
【００４４】
この後、使用者は、座部２の天板２１の開口部周縁に載置された便座３に座って用を足すことができる。用便が終了すれば、使用者は、肘掛け６を利用して立ち上がることができる。この場合、踵および下肢を傾斜された前壁２２１の傾斜面に沿って収容することにより、容易に立ち上がることができる。次いで、汚物が収容された汚物ポット７を引き上げた後、シート９の把手を把握して前方に引き出せば、便座３を覆う閉鎖位置に移動させることができる。
【００４５】
なお、汚物ポット７に収容された汚物は、トイレ室の便器に別途廃棄される。そして、汚物ポット７は洗浄され、再びポータブルトイレ１における天板２１の開口部周縁に支持され、次の用足しに備える。
【００４６】
一方、蓄光材８７には、昼光（太陽光）あるいは蛍光灯などの人工光のエネルギーが吸収蓄積される。そして、蓄光材８７に蓄積された光エネルギーは、暗闇において、放光される。したがって、夜間において、ポータブルトイレ１を使用する使用者は、発光する蓄光材８７によってポータブルトイレ１の肘掛け６を容易に目視することができることから、使用に際して良好な視認性を確保することができる。
【００４７】
このため、灯を点灯することで家人などを起こすこともなく、また、使用者自身も灯によって目を覚ますこともないことから、気兼ねすることなく用を足すことができる。また、仮に地震などの災害が夜間に発生し、停電に見舞われたとしても、前述したように、ポータブルトイレ１の肘掛け６に設けた蓄光材８７が発光していることから、ポータブルトイレ１を視認することができ、避難に際してポータブルトイレ１を避けて、あるいは、ポータブルトイレ１を移動させて避難することができ、ポータブルトイレ１との衝突を回避することができる。
【００４８】
この実施形態においても、左右の肘掛け６の肘掛け本体６２に蓄光材８７を設けることに代えて、もしくは、肘掛け６の蓄光材８７とともに、ポータブルトイレ１を構成するいずれかの部材に適数個の蓄光材を設けることができる。
【００４９】
例えば、図８に示すように、座部２の周壁２２のうち、前壁２２１に幅方向に直線状に延びる凹部２２１ａを形成する一方、前壁２２１の凹部２２１ａに対応する形状に蓄光材８８を形成し、前壁２２１の凹部２２１ａに接着剤を介して蓄光材８８を嵌め込むことにより、あるいはビスを介して蓄光材８８を前壁２２１に設けるようにしてもよい。
【００５０】
また、図９に示すように、各支持脚２４の下端角部に方形状の切欠部２４ａを形成し、該支持脚２４の切欠部２４ａに、切欠部２４ａに対応する直方体状に形成された蓄光材８９を接着剤を介して、あるいは、ビスを介して固定するようにしてもよい。
【００５１】
なお、これらの蓄光材８７，８８，８９を取り付けるに際して、嵌合凹部６２ｂ、凹部２２１ａ、切欠部２４ａの各内面もしくは蓄光材８７，８８，８９の各内面をそれぞれ白色に塗装して反射層に形成したり、白色に塗装された反射板を嵌合凹部６２ｂ、凹部２２１ａ、切欠部２４ａにそれぞれ設けて、蓄光材８７，８８，８９の発光エネルギーの、内部散乱による減衰を抑えることが好ましい。
【００５２】
さらには、シート９に蓄光材８４Ａを設けたり、背もたれ５の笠木５３に蓄光材８５Ａを設けるようにしてもよい（図６参照）。
【産業上の利用可能性】
【００５３】
以上説明したように、本発明のポータブルトイレによれば、夜間において容易に視認することができ、被介護者はもちろん、家人などにとっても心理的な負担を軽減することができる。
【図面の簡単な説明】
【００５４】
【図１】本発明のポータブルトイレの一実施形態を示す斜視図である。
【図２】図１のポータブルトイレの肘掛けに設けた蓄光材を一部省略して示す断面図およびその変形例を示す断面図である。
【図３】図１のポータブルトイレの前壁に設けた蓄光材を一部省略して示す断面図である。
【図４】図１のポータブルトイレの便座に設けた蓄光材を一部省略して示す断面図である。
【図５】図１のポータブルトイレの脚部にその部品として設けた蓄光材を一部省略して示す分解斜視図である。
【図６】本発明のポータブルトイレの他の実施形態を示す斜視図である。
【図７】図６のポータブルトイレの肘掛けに設けた蓄光材を一部省略して示す断面図である。
【図８】図６のポータブルトイレの前壁に設けた蓄光材を一部省略して示す断面図である。
【図９】図６のポータブルトイレの支持脚に設けた蓄光材を一部省略して示す斜視図である。
【符号の説明】
【００５５】
１  ポータブルトイレ
２  座部
２１  天板
２２  周壁
３  便座
４  カバー
５  背もたれ
６  肘掛け
６２  肘掛け本体
８，８１，８２，８３，８４，８４Ａ，８５，８５Ａ，８６，８７，８８，８９  蓄光材
【図１】
2006109955.tif 000003
【図２】
2006109955.tif 000004
【図３】
2006109955.tif 000005
【図４】
2006109955.tif 000006
【図５】
2006109955.tif 000007
【図６】
2006109955.tif 000008
【図７】
2006109955.tif 000009
【図８】
2006109955.tif 000010
【図９】
2006109955.tif 000011